(57)【要約】      （修正有）【課題】右肩紐及び左肩紐を備えた衣服において、肩紐がずれ落ちる問題を防止できる衣服を提供する。【解決手段】右肩紐３１と、左肩紐３３と、着用者の身体の前面の少なくとも一部を覆うと共に、右肩紐の一端側である右肩紐前面側取付部３１ｂと左肩紐の一端側である左肩紐前面側取付部３３ｂとが連結される前面覆い部と、着用者の身体の後面の少なくとも一部を覆うと共に、右肩紐の他端側である右肩紐後面側取付部と左肩紐の他端側である左肩紐後面側取付部とが連結される後面覆い部２３ｃ２と、を含んでなる衣服本体２１と、右肩紐の部分である右肩紐背面部と、左肩紐の部分である左肩紐背面部と、に係合する右肩紐背面部及び左肩紐背面部の間の距離を規定し、右肩紐背面部及び左肩紐背面部に係合した状態において右肩紐背面部及び左肩紐背面部の少なくとも一部に沿って移動可能な連結部５１と、を備える。【選択図】図２
0003234892.tif 000002
【実用新案登録請求の範囲】
【請求項１】
着用者の右肩に係合する右肩紐と、
着用者の左肩に係合する左肩紐と、
着用者の身体の前面の少なくとも一部を覆うと共に、右肩紐の一端側である右肩紐前面側取付部と左肩紐の一端側である左肩紐前面側取付部とが連結される前面覆い部と、
着用者の身体の後面の少なくとも一部を覆うと共に、右肩紐の他端側である右肩紐後面側取付部と左肩紐の他端側である左肩紐後面側取付部とが連結される後面覆い部と、を含んでなる衣服本体と、
右肩紐が右肩に係合する位置である右肩紐右肩係合位置から右肩紐後面側取付部との間に存する右肩紐の部分である右肩紐背面部と、左肩紐が左肩に係合する位置である左肩紐左肩係合位置から左肩紐後面側取付部との間に存する左肩紐の部分である左肩紐背面部と、に係合することで該係合する右肩紐背面部及び左肩紐背面部の間の距離を規定し、右肩紐背面部及び左肩紐背面部に係合した状態において右肩紐背面部及び左肩紐背面部の少なくとも一部に沿って移動可能な連結部と、
を備えてなる、衣服。
【請求項２】
右肩紐後面側取付部が後面覆い部の右側に取り付けられると共に、左肩紐後面側取付部が後面覆い部の左側に取り付けられるものである、請求項１に記載の衣服。
【請求項３】
前記連結部は、右肩紐背面部に沿って移動自在に右肩紐背面部を内嵌すると共に、左肩紐背面部に沿って移動自在に左肩紐背面部を内嵌する、両端が解放された中空の筒部を含んでなるものである、請求項１又は２に記載の衣服。
【請求項４】
前記筒部は、右肩紐背面部に沿って移動自在に右肩紐背面部を内嵌する右筒部と、左肩紐背面部に沿って移動自在に左肩紐背面部を内嵌する左筒部と、を含んでなるものである、請求項３に記載の衣服。
【請求項５】
右筒部に内嵌された右肩紐背面部が第１直線に沿うと共に、左筒部に内嵌された左肩紐背面部が、第１直線に平行な第２直線に沿うものである、請求項４に記載の衣服。
【請求項６】
前記衣服が想定される着用者に着用された状態において、連結部が規定する右肩紐背面部及び左肩紐背面部の間の第１の距離が、右肩紐右肩係合位置と左肩紐左肩係合位置との間の第２の距離よりも小さいものである、請求項１乃至５のいずれか１に記載の衣服。
【請求項７】
右肩紐後面側取付部と左肩紐後面側取付部との間の第３の距離よりも第１の距離が小さいものである、請求項６に記載の衣服。
【請求項８】
前記衣服が想定される着用者に着用された状態において、右肩紐前面側取付部及び左肩紐前面側取付部との間の距離よりも、連結部が規定する右肩紐背面部及び左肩紐背面部の間の第１の距離が小さいものである、請求項１乃至７のいずれか１に記載の衣服。
【請求項９】
前記衣服がエプロンである、請求項１乃至８のいずれか１に記載の衣服。
【考案の詳細な説明】
【技術分野】
【０００１】
本考案は、衣服に関し、より詳細には、左右一対の肩紐を備えた衣服に関する。
【背景技術】
【０００２】
左右一対の肩紐を備えた衣服は、従来から知られている（例えば、特許文献１及び特許文献２参照）。
特許文献１には、「使用が簡単で、軽くて、伸縮性があり、肩が凝らないという実用性と、家事が楽しくなりそうな装飾性を兼備したエプロンを提供」（特許文献１、発明の詳細な説明の段落番号０００７）するためになされた「エプロン本体・肩ひもを２色の布地を合わせて色別し、さらに肩ひもは幅を広くしてフリル状」（特許文献１、発明の詳細な説明の段落番号０００８）にしたエプロンが開示されている。
【０００３】
特許文献２には、「着脱簡単で、肩ひもがずり落ちず、サイズ調節が１ケ所のみで出来るエプロンを提供する」（特許文献２、要約の課題）するためになされた「前だれ（９）の上辺に前だれ（９）より長い腰ひも（８）を設ける。胸当て（１）を二等辺三角形にし、胸当て上部の裏側にサイズ調節用ベルト（５）を設ける。サイズ調節用ベルトの一部は、胸当て（１）に取り付け、他端はリング（４）に通して折り返し、止め具（６）、（７）で止める。リング（４）に、さらに肩ひも２本の端を各々取り付け、２本の肩ひもの他端は前だれ（９）の左右両端の上部に接続されている当たりの腰ひも（８）に各々取り付ける。又、ゴムひもは２本の肩ひも（２）の中程に各々取り付ける。」（特許文献２、発明の詳細な説明の段落番号０００４）ようにしたエプロンが開示されている。
【０００４】
特許文献１及び２に記載の衣服（特許文献１及び２においてはエプロン）のように、衣服本体の前面の右側に一端が取り付けられると共に衣服本体の背面に他端が取り付けられる右肩紐と、衣服本体の前面の左側に一端が取り付けられると共に衣服本体の背面に他端が取り付けられる左肩紐と、を備える衣服はこれまで知られており、該衣服の着用者はその右肩に右肩紐を係合させ、その左肩に左肩紐を係合させるように該衣服を着用する。
【０００５】
該衣服には、特許文献１のエプロンのように右肩紐の該他端が衣服本体の背面の左側に取り付けられると共に左肩紐の該他端が衣服本体の背面の右側に取り付けられるもの（以下「交差肩紐衣服」という。）と、特許文献２のエプロンのように右肩紐の該他端が衣服本体の背面の右側に取り付けられると共に左肩紐の該他端が衣服本体の背面の左側に取り付けられるもの（以下「並列肩紐衣服」という。）と、が知られているが、これら交差肩紐衣服及び並列肩紐衣服のいずれも該衣服を着用している状態において肩紐がずれ落ちる問題を生じることがあり、かかる問題は衣服の着心地を害したり肩紐を肩に何度も係合させ直す必要を生じ得る。なお、肩紐のずれ落ちは、右肩に係合している右肩紐が右肩に対して右方向に移動し右肩から右上腕側に脱落することや、左肩に係合している左肩紐が左肩に対して左方向に移動し左肩から左上腕側に脱落することをいう。なお、ここでいう「右」及び「左」は、該衣服の直立した着用者が認識する「右」及び「左」をいう。
【先行技術文献】
【特許文献】
【０００６】
【特許文献１】特開平１０−３１７２１３号公報（例えば、要約、発明の詳細な説明０００１〜０００８、第１図、第２図等）
【特許文献２】特開２００４−１００１２０号公報（例えば、要約、発明の詳細な説明０００１〜０００４、第１図、第２図、第６図等）
【考案の概要】
【考案が解決しようとする課題】
【０００７】
そこで、本考案では、右肩紐及び左肩紐を備えた衣服を着用している状態において肩紐がずれ落ちる問題を防止又は減少させることができる衣服を提供することを目的とする。
【課題を解決するための手段】
【０００８】
本考案の衣服（以下「本衣服」という。）は、着用者の右肩に係合する右肩紐と、着用者の左肩に係合する左肩紐と、着用者の身体の前面の少なくとも一部を覆うと共に、右肩紐の一端側である右肩紐前面側取付部と左肩紐の一端側である左肩紐前面側取付部とが連結される前面覆い部と、着用者の身体の後面の少なくとも一部を覆うと共に、右肩紐の他端側である右肩紐後面側取付部と左肩紐の他端側である左肩紐後面側取付部とが連結される後面覆い部と、を含んでなる衣服本体と、右肩紐が右肩に係合する位置である右肩紐右肩係合位置から右肩紐後面側取付部との間に存する右肩紐の部分である右肩紐背面部と、左肩紐が左肩に係合する位置である左肩紐左肩係合位置から左肩紐後面側取付部との間に存する左肩紐の部分である左肩紐背面部と、に係合することで該係合する右肩紐背面部及び左肩紐背面部の間の距離を規定し、右肩紐背面部及び左肩紐背面部に係合した状態において右肩紐背面部及び左肩紐背面部の少なくとも一部に沿って移動可能な連結部と、を備えてなる、衣服である。
【０００９】
本衣服は、衣服本体と、連結部と、を備えてなる。
衣服本体は、右肩紐と、左肩紐と、前面覆い部と、後面覆い部と、を含んでなる。右肩紐は、本衣服の着用者の右肩に係合する。左肩紐は、本衣服の着用者の左肩に係合する。前面覆い部は、本衣服の着用者の身体の前面（例えば、胸部や腹部）の少なくとも一部を覆う。後面覆い部は、本衣服の着用者の身体の後面（例えば、背面や臀部）の少なくとも一部を覆う。そして、右肩紐の一端側である右肩紐前面側取付部は前面覆い部に連結されると共に、右肩紐の他端側である右肩紐後面側取付部は後面覆い部に連結される。左肩紐の一端側である左肩紐前面側取付部は前面覆い部に連結されると共に、左肩紐の他端側である左肩紐後面側取付部は後面覆い部に連結される。衣服本体は、交差肩紐衣服と並列肩紐衣服とのいずれも含む。
連結部は、右肩紐背面部及び左肩紐背面部に係合した状態において右肩紐背面部及び左肩紐背面部の少なくとも一部（即ち一部又は全部）に沿って移動可能であり、右肩紐背面部と左肩紐背面部とに係合することで該係合する右肩紐背面部及び左肩紐背面部の間の距離を規定する（該距離が所定距離を超えないようにする場合のみならず、連結部を装着していない場合に比して該距離を小さくする場合を含む。）。右肩紐背面部は、右肩紐が右肩に係合する位置である右肩紐右肩係合位置から右肩紐後面側取付部との間に存する右肩紐の部分をいう。左肩紐背面部は、左肩紐が左肩に係合する位置である左肩紐左肩係合位置から左肩紐後面側取付部との間に存する左肩紐の部分である。なお、連結部が右肩紐背面部及び左肩紐背面部に係合する方法は、様々な方法を採用できるが、後述の筒部具備本衣服に示すように両端が解放された中空の筒部に右肩紐背面部及び／又は左肩紐背面部が内嵌されるようなものの他、連結部が有するフックが右肩紐背面部及び／又は左肩紐背面部に係合するようなもの、右肩紐背面部及び／又は左肩紐背面部に長手方向に沿って形成された凹条及び凸条の一方に連結部が有する凸部又は凹部が係合するもの等を例示できる。
このような本衣服によれば、右肩紐背面部及び左肩紐背面部の間の距離を連結部が規定するので、右肩に係合している右肩紐が右肩に対して右方向に移動し右肩から右上腕側に脱落することと、左肩に係合している左肩紐が左肩に対して左方向に移動し左肩から左上腕側に脱落することと、を防止又は減少させ、肩紐がずれ落ちる問題を防止又は減少させることができる。そして、連結部が右肩紐背面部及び左肩紐背面部の少なくとも一部に沿って移動可能とすることで、様々な体格、体型及び身長の着用者が本衣服を着用しても、各々の着用者に適した位置（高さ）に連結部を配置することができ、様々な着用者に対して肩紐がずれ落ちる問題を効果的に防止又は減少させることができる。
【００１０】
本衣服においては、右肩紐後面側取付部が後面覆い部の右側に取り付けられると共に、左肩紐後面側取付部が後面覆い部の左側に取り付けられるものであってもよい。
上述の如く、本衣服を構成する衣服本体としては、交差肩紐衣服と並列肩紐衣服とのいずれであってもよいが、右肩紐後面側取付部が後面覆い部の右側に取り付けられると共に、左肩紐後面側取付部が後面覆い部の左側に取り付けられる並列肩紐衣服の場合には、右肩紐背面部及び左肩紐背面部が上下方向に並んでいることから、連結部が右肩紐背面部及び左肩紐背面部に係合した状態において右肩紐背面部及び左肩紐背面部に沿って円滑に移動することができる。なお「右肩紐後面側取付部が後面覆い部の右側に取り付けられると共に、左肩紐後面側取付部が後面覆い部の左側に取り付けられる」ことは、後面覆い部への取付位置が右肩紐後面側取付部の方が左肩紐後面側取付部よりも右側に取り付けられていることをいう。
【００１１】
本衣服においては、前記連結部は、右肩紐背面部に沿って移動自在に右肩紐背面部を内嵌すると共に、左肩紐背面部に沿って移動自在に左肩紐背面部を内嵌する、両端が解放された中空の筒部を含んでなるもの（以下「筒部具備本衣服」という。）であってもよい。
このように連結部が、両端が解放された中空の筒部を含み、該筒部が右肩紐背面部及び左肩紐背面部を内嵌し、右肩紐背面部及び左肩紐背面部を内嵌した状態において右肩紐背面部及び左肩紐背面部に沿って移動可能とすることで、両端が解放された中空の筒部により連結部を容易に構成できる。
【００１２】
筒部具備本衣服においては、前記筒部は、右肩紐背面部に沿って移動自在に右肩紐背面部を内嵌する右筒部と、左肩紐背面部に沿って移動自在に左肩紐背面部を内嵌する左筒部と、を含んでなるもの（以下「別筒部具備本衣服」という。）であってもよい。
こうすることで両端が解放された中空の右筒部が、右肩紐背面部に沿って移動自在に右肩紐背面部を内嵌すると共に、両端が解放された中空の左筒部が、左肩紐背面部に沿って移動自在に左肩紐背面部を内嵌するので、右肩紐背面部と左肩紐背面部とが別々の筒部（右筒部、左筒部）に内嵌される。このため筒部の内部において右肩紐背面部と左肩紐背面部とが不意に係合（例えば、もつれたり、重なり合う等）することを防止又は減少させることができる。
【００１３】
別筒部具備本衣服においては、右筒部に内嵌された右肩紐背面部が第１直線に沿うと共に、左筒部に内嵌された左肩紐背面部が、第１直線に平行な第２直線に沿うものであってもよい。
このように右筒部に内嵌された右肩紐背面部（仮想上の第１直線に沿っている）と、左筒部に内嵌された左肩紐背面部（第１直線に平行な仮想上の第２直線に沿っている）と、が互いに略平行であることにより、右肩紐背面部及び左肩紐背面部に沿った連結部の移動を円滑ならしめる。
【００１４】
本衣服においては、前記衣服が想定される着用者に着用された状態において、連結部が規定する右肩紐背面部及び左肩紐背面部の間の第１の距離が、右肩紐右肩係合位置と左肩紐左肩係合位置との間の第２の距離よりも小さいもの（以下「距離大小本衣服」という。）であってもよい。
本衣服が想定される着用者に着用された状態（以下「着用状態」という。）において、連結部が係合した右肩紐背面部と左肩紐背面部との間の距離である第１の距離が、右肩紐右肩係合位置と左肩紐左肩係合位置との間の第２の距離よりも小さいことから、着用状態において右肩紐背面部及び左肩紐背面部に加わる張力により連結部とそれが係合した右肩紐背面部及び左肩紐背面部との間に摩擦力を生じる。このため連結部が係合した右肩紐背面部及び左肩紐背面部の好ましい所定位置において連結部の移動を禁止する格別の手段を用いることなく、該摩擦力により該所定位置から連結部の不意の移動を防止又は減少させると共に、該張力を減少又は消滅させることで連結部を自由に移動させることができ、本衣服の使用を便ならしめる。
【００１５】
距離大小本衣服においては、右肩紐後面側取付部と左肩紐後面側取付部との間の第３の距離よりも第１の距離が小さいものであってもよい。
第１の距離が第２の距離よりも小さい距離大小本衣服において、右肩紐後面側取付部と左肩紐後面側取付部との間の第３の距離よりも第１の距離が小さい。即ち、着用状態の着用者の背面において、右肩紐右肩係合位置と左肩紐左肩係合位置との間の距離（第２の距離）と、右肩紐後面側取付部と左肩紐後面側取付部との間の距離（第３の距離）と、のいずれの距離よりも、連結部が係合した右肩紐背面部と左肩紐背面部との間の距離（第１の距離）が小さいことから、着用状態において右肩紐背面部及び左肩紐背面部に加わる張力により連結部とそれが係合した右肩紐背面部及び左肩紐背面部との間に確実に摩擦力を生じることで、右肩紐背面部及び左肩紐背面部の好ましい所定位置から連結部の不意の移動をうまく防止又は減少させることができる。
【００１６】
本衣服においては、前記衣服が想定される着用者に着用された状態において、右肩紐前面側取付部及び左肩紐前面側取付部との間の距離よりも、連結部が規定する右肩紐背面部及び左肩紐背面部の間の第１の距離が小さいものであってもよい。
右肩紐右肩係合位置と左肩紐左肩係合位置との間の第２の距離は、右肩紐前面側取付部及び左肩紐前面側取付部との間の距離に近くなることが多い。このため右肩紐前面側取付部及び左肩紐前面側取付部との間の距離よりも第１の距離を小さくすることにより、着用状態において右肩紐背面部及び左肩紐背面部に加わる張力により連結部とそれが係合した右肩紐背面部及び左肩紐背面部との間に摩擦力を生じることができる場合が多い。このため連結部が係合した右肩紐背面部及び左肩紐背面部の好ましい所定位置において連結部の移動を禁止する格別の手段を用いることなく、該摩擦力により該所定位置から連結部の不意の移動を防止又は減少させることができる。
【００１７】
本衣服においては、前記衣服がエプロンであってもよい。
エプロンは、通常、右肩紐と左肩紐とを備え、様々な作業の際に着用される作業着として広く用いられている。かかる従来のエプロンを着用して着用者が様々な作業を行うと、これまで右肩紐及び左肩紐が着用者の肩から脱落することで作業性を低下させる問題があった。このため本衣服をエプロンとすることで、右肩紐及び左肩紐が着用者の肩から脱落することを防止又は減少させ、作業性の低下、着心地の悪化、度重なる右肩紐及び左肩紐の肩への再係合によるストレス増加といった問題を防止又は減少させることができる。
【図面の簡単な説明】
【００１８】
【図１】本考案の一実施形態の衣服（本衣服）たるエプロンの正面図である。
【図２】本衣服たるエプロンの背面図である。
【図３】図３（ａ）は図２中の点線Ａにより囲まれた部分の拡大図であり、そして図３（ｂ）は図３（ａ）のＢ−Ｂ端面図である。
【図４】着用者にエプロンが着用された際の一部正面図である。
【図５】着用者にエプロンが着用された際の一部背面図である。
【考案を実施するための形態】
【００１９】
本考案の実施の形態を図面を参照して詳述するが、本考案はこれに限定されるものではない。
【００２０】
図１は、本考案の一実施形態の衣服（本衣服）たるエプロン１１の正面図であり、図２はエプロン１１の背面図であり、そして図３（ａ）は図２中の点線Ａにより囲まれた部分の拡大図であり、そして図３（ｂ）は図３（ａ）のＢ−Ｂ端面図である。図１乃至図３を参照してエプロン１１について説明する。説明中にて使用する「左」、「右」、「上」及び「下」は、エプロン１１を着用して直立した着用者（不図示）が認識する「左」、「右」、「上」及び「下」をいう。
エプロン１１は、エプロン本体２１と、連結具５１と、を備えてなる。
【００２１】
エプロン本体２１は、主布体２３と、前面右側に右ポケットを形成するために主布体２３の表面２３ｆ１に縫い付けられる右ポケット形成布体２５と、前面左側に左ポケットを形成するために主布体２３の表面２３ｆ１に縫い付けられる左ポケット形成布体２７と、主布体２３に取り付けられる一対の肩紐３１、３３と、を有してなる。
主布体２３は、エプロン１１の着用者（不図示）の主として胸部前面を覆う胸部覆い布体２３ａと、エプロン１１の着用者（不図示）の主として腰部及び脚部を前面から後方に回り込むように覆う腰部等覆い布体２３ｂと、を一体に有してなる。そして、主布体２３は、着用者の身体（不図示）の前面（ここでは該身体のうち胸部、腹部、腰部の前面、大腿の前面）の少なくとも一部を覆う前部布体２３ｃ１（主布体２３のうち、図１に表面２３ｆ１が表れている部分）と、着用者の身体（不図示）の後面（ここでは該身体のうち臀部、大腿の後面）の少なくとも一部を覆う後部布体２３ｃ２（主布体２３のうち、図２に表面２３ｆ１が表れている部分）と、を一体に有してなる。
【００２２】
右ポケット形成布体２５は、両主表面のいずれもが長方形を略なし、該長方形の１辺である上縁２５ａを除く３辺に沿って主布体２３（腰部等覆い布体２３ｂ）の表面２３ｆ１に縫い付けられることで、上縁２５ａが開口を形成する右ポケットを形成する。
同様に、左ポケット形成布体２７は、両主表面のいずれもが長方形を略なし、該長方形の１辺である上縁２７ａを除く３辺に沿って主布体２３（腰部等覆い布体２３ｂ）の表面２３ｆ１に縫い付けられることで、上縁２７ａが開口を形成する左ポケットを形成する。
【００２３】
肩紐３１は、主布体２３（胸部覆い布体２３ａ、前部布体２３ｃ１）の上縁２３ｄの右側部分（ここでは右端近傍）に一端３１ａが取り付けられ（ここでは縫い付け）、さらに腰部等覆い布体２３ｂの後面側（後部布体２３ｃ２）に位置する右上縁２３ｂａ近傍に他端３１ｂが取り付けられている。なお、右上縁２３ｂａ近傍への他端３１ｂの取付は、腰部等覆い布体２３ｂに取り付けられたボタン（不図示）を、肩紐３１に形成されたボタン穴３１ｈに係合させることにより行われ、ボタン穴３１ｈは肩紐３１の長手方向に沿って複数（ここでは３個）形成されているので、該複数のボタン穴３１ｈのいずれに該ボタンを係合させるかによって肩紐３１の長さを調整することができる。
同様に、肩紐３３は、主布体２３（胸部覆い布体２３ａ、前部布体２３ｃ１）の上縁２３ｄの左側部分（ここでは左端近傍）に一端３３ａが取り付けられ（ここでは縫い付け）、さらに腰部等覆い布体２３ｂの後面側（後部布体２３ｃ２）に位置する左上縁２３ｂｂ近傍に他端３３ｂが取り付けられている。なお、左上縁２３ｂｂ近傍への他端３３ｂの取付は、腰部等覆い布体２３ｂに取り付けられたボタン（不図示）を、肩紐３３に形成されたボタン穴３３ｈに係合させることにより行われ、ボタン穴３３ｈは肩紐３３の長手方向に沿って複数（ここでは３個）形成されているので、該複数のボタン穴３３ｈのいずれに該ボタンを係合させるかによって肩紐３３の長さを調整することができる。なお、通常、肩紐３１と肩紐３３とは、同じ長さになるように他端３１ｂ、３３ｂが腰部等覆い布体２３ｂに取り付けられる。
【００２４】
連結具５１は、一対の筒部５３、５５と、筒部５３と筒部５５とを連結する連結部５７と、を有してなり、具体的には、長方形状の一枚の布を両側から折り畳んで糸５９（特に図３（ｂ）参照）により縫い付けることで構成されている。
筒部５３は肩紐３１に遊びを有して外嵌されると共に、筒部５５は肩紐３３に遊びを有して外嵌されることで、連結具５１は、筒部５３、５５に肩紐３１、３３を貫通させた状態で上下（図２及び図３（ａ）中の矢印Ｃ）に自由に移動することができる。
【００２５】
かかるエプロン１１は、従来のエプロンと同様のエプロン本体２１と、連結具５１と、を準備し、連結具５１の筒部５３に肩紐３１を貫入させると共に、筒部５５に肩紐３３を貫入させ、その後、腰部等覆い布体２３ｂの右上縁２３ｂａ近傍に他端３１ｂを取り付けると共に、左上縁２３ｂｂ近傍に他端３３ｂを取り付けることで形成できる。
【００２６】
図４は、着用者１０１にエプロン１１が着用された際の一部正面図であり、図５は、着用者１０１にエプロン１１が着用された際の一部後面図（背面）である。図４及び図５を参照して、エプロン１１の着用状態について説明する。
なお、エプロン１１の着用は、エプロン１１の下端１１ｄから着用者１０１の頭１０３をエプロン１１内部１１ｅ（特に図２参照）に挿入すること（下端１１ｄからエプロン１１を着用者１０１が頭からかぶる）により行う（なお、エプロン１１を着用する際には連結具５１が邪魔にならない位置に移動させておくこともできる。）。その後、肩紐３１、３３に沿った連結具５１の位置（高さ）を調整する（連結具５１の適した位置（高さ）は、着用者１０１の身長や体格等によって変化するが、通常は着用者１０１の左右の肩甲骨中心付近とすることもできる。）。
【００２７】
エプロン１１が想定する着用者１０１に着用されたエプロン１１は、前側から見たときに（図４）、肩紐３１の一端３１ａと、肩紐３３の一端３３ａと、の間の距離はＤ１である。そして、肩紐３１のうち、着用者１０１の右肩１０５ａが形成する畝形状の最上部を通過する部分３１ｔと、肩紐３３のうち、着用者１０１の左肩１０５ｂが形成する畝形状の最上部を通過する部分３３ｔと、の間の距離はＤ２である。さらに、着用者１０１に着用されたエプロン１１は、後側から見たときに（図５）、肩紐３１の他端３１ｂと、肩紐３３の他端３３ｂと、の間の距離はＤ３である。また、連結具５１の筒部５３を貫通した肩紐３１と、筒部５５を貫通した肩紐３３と、の間の距離はＤ４である。この距離Ｄ４は、ここでは距離Ｄ１、距離Ｄ２及び距離Ｄ３のいずれよりも小さい。これによって肩紐３１及び肩紐３３に張力が加わると（該張力は、筒部５３を貫通した肩紐３１と、筒部５５を貫通した肩紐３３と、の間を広げるように作用する。）、該張力が肩紐３１、３３と筒部５３、５５との間に摩擦力を生じ、該摩擦力によって連結具５１が上下に不意に移動することを防止又は減少させる（該摩擦力により連結具５１が固定される）。
【００２８】
ここに距離Ｄ４に対する距離Ｄ２の割合（Ｄ２／Ｄ４）は、あまり小さいと連結具５１の不意の上方向移動を防止又は減少させる上述の効果が小さくなるので、好ましくは２以上、より好ましくは３以上、最も好ましくは好ましくは３．５以上であり、逆にあまり大きいと、肩紐３１及び肩紐３３に張力が加わると連結具５１を下方向に押し下げる力が大きくなりすぎるので、好ましくは６以下、より好ましくは５．５以下、最も好ましくは好ましくは４．５以下である。
そして距離Ｄ４に対する距離Ｄ３の割合（Ｄ３／Ｄ４）は、あまり小さいと連結具５１の不意の下方向移動を防止又は減少させる上述の効果が小さくなるので、好ましくは１以上、より好ましくは１．５以上、最も好ましくは好ましくは２以上であり、逆にあまり大きいと、肩紐３１及び肩紐３３に張力が加わると連結具５１を上方向に押し上げる力が大きくなりすぎるので、好ましくは１０以下、より好ましくは９．５以下、最も好ましくは好ましくは９以下である。
なお、これら距離Ｄ１乃至Ｄ４については、肩紐３１の左右の中心と肩紐３３の左右の中心との距離としている。
【００２９】
このように本衣服たるエプロン１１においては、連結具５１の筒部５３、５５に肩紐３１、３３を貫通させた状態で連結具５１が上下に自由に移動することができるので、様々な体格、体型及び身長の着用者がエプロン１１を着用しても、各々の着用者に適した位置（高さ）に連結具５１を配置することができ、肩紐３１、３３が右肩１０５ａ及び左肩１０５ｂからずれ落ちることを効果的に防止又は減少させることができる。
さらに、肩紐３１、３３が右肩１０５ａ及び左肩１０５ｂからずれることを効果的に防止又は減少させ安定した状態とすることができるので、肩や首の負担を軽減し疲れやこりを防止又は減少させることができる。また、肩紐３１、３３が着用者の首から離れることを減少させ、肩紐３１、３３の一方又は両方が肩１０５ａ、１０５ｂから脱落することを防止又は減少させるので着用者の着用時のストレスを軽減することができる。
また、エプロン１１においては連結具５１の筒部５３、５５に肩紐３１、３３を貫通させた状態で連結具５１が上下に自由に移動することができるので、エプロン１１を着用する際には連結具５１が邪魔にならない位置に移動させることで着用を容易ならしめる。
【００３０】
以上説明の如く、エプロン１１は、着用者１０１の右肩１０５ａに係合する右肩紐（ここでは肩紐３１）と、着用者１０１の左肩１０５ｂに係合する左肩紐（ここでは肩紐３３）と、着用者１０１の身体の前面の少なくとも一部を覆うと共に、右肩紐（肩紐３１）の一端側である右肩紐前面側取付部（ここでは一端３１ａ）と左肩紐（肩紐３３）の一端側である左肩紐前面側取付部（ここでは一端３３ａ）とが連結される前面覆い部（ここでは前部布体２３ｃ１）と、着用者１０１の身体の後面の少なくとも一部を覆うと共に、右肩紐（肩紐３１）の他端側である右肩紐後面側取付部（ここでは他端３１ｂ）と左肩紐（肩紐３３）の他端側である左肩紐後面側取付部（ここでは他端３３ｂ）とが連結される後面覆い部（ここでは後部布体２３ｃ２）と、を含んでなる衣服本体（ここではエプロン本体２１）と、右肩紐（肩紐３１）が右肩１０５ａに係合する位置である右肩紐右肩係合位置（ここでは部分３１ｔ）から右肩紐後面側取付部（他端３１ｂ）との間に存する右肩紐（肩紐３１）の部分である右肩紐背面部３１ｎと、左肩紐（肩紐３３）が左肩１０５ｂに係合する位置である左肩紐左肩係合位置（ここでは部分３３ｔ）から左肩紐後面側取付部（他端３３ｂ）との間に存する左肩紐（肩紐３３）の部分である左肩紐背面部３３ｎと、に係合することで該係合する右肩紐背面部３１ｎ及び左肩紐背面部３３ｎの間の距離を規定し、右肩紐背面部３１ｎ及び左肩紐背面部３３ｎに係合した状態において右肩紐背面部３１ｎ及び左肩紐背面部３３ｎの少なくとも一部に沿って移動可能な連結部（ここでは連結具５１）と、を備えてなる、衣服である。
【００３１】
エプロン１１においては、右肩紐後面側取付部（他端３１ｂ）が後面覆い部（後部布体２３ｃ２）の右側に取り付けられると共に、左肩紐後面側取付部（他端３３ｂ）が後面覆い部（後部布体２３ｃ２）の左側に取り付けられるものである。
エプロン１１においては、前記連結部（連結具５１）は、右肩紐背面部３１ｎに沿って移動自在に右肩紐背面部３１ｎを内嵌すると共に、左肩紐背面部３３ｎに沿って移動自在に左肩紐背面部３３ｎを内嵌する、両端が解放された中空の筒部（ここでは筒部５３、５５）を含んでなるものである。
エプロン１１においては、前記筒部（筒部５３、５５）は、右肩紐背面部３１ｎに沿って移動自在に右肩紐背面部３１ｎを内嵌する右筒部（筒部５３）と、左肩紐背面部３３ｎに沿って移動自在に左肩紐背面部３３ｎを内嵌する左筒部（筒部５５）と、を含んでなるものである。
エプロン１１においては、右筒部（筒部５３）に内嵌された右肩紐背面部３１ｎが第１直線（ここでは鉛直な直線）に沿うと共に、左筒部（筒部５５）に内嵌された左肩紐背面部３３ｎが、第１直線に平行な第２直線（鉛直な直線）に沿うものである。
【００３２】
エプロン１１においては、前記衣服（エプロン１１）が想定される着用者１０１に着用された状態（図４、図５）において、連結部（連結具５１）が規定する右肩紐背面部３１ｎ及び左肩紐背面部３３ｎの間の第１の距離（ここでは距離Ｄ４）が、右肩紐右肩係合位置（部分３１ｔ）と左肩紐左肩係合位置（部分３３ｔ）との間の第２の距離（ここでは距離Ｄ２）よりも小さいものである。
エプロン１１においては、右肩紐後面側取付部（他端３１ｂ）と左肩紐後面側取付部（他端３３ｂ）との間の第３の距離（ここでは距離Ｄ３）よりも第１の距離（距離Ｄ４）が小さいものである。
エプロン１１においては、前記衣服（エプロン１１）が想定される着用者１０１に着用された状態（図４、図５）において、右肩紐前面側取付部（一端３１ａ）及び左肩紐前面側取付部（一端３３ａ）との間の距離（ここでは距離Ｄ１）よりも、連結部（連結具５１）が規定する右肩紐背面部３１ｎ及び左肩紐背面部３３ｎの間の第１の距離（距離Ｄ４）が小さいものである。
エプロン１１においては、前記衣服がエプロンである。
【符号の説明】
【００３３】
１１        エプロン
１１ｄ      下端
１１ｅ      内部
２１        エプロン本体
２３        主布体
２３ａ      胸部覆い布体
２３ｂ      腰部等覆い布体
２３ｂａ    右上縁
２３ｂｂ    左上縁
２３ｃ１    前部布体
２３ｃ２    後部布体
２３ｄ      上縁
２３ｆ１    表面
２５        右ポケット形成布体
２５ａ      上縁
２７        左ポケット形成布体
２７ａ      上縁
３１        肩紐
３１ａ      一端
３１ｂ      他端
３１ｈ      ボタン穴
３１ｎ      右肩紐背面部
３１ｔ      部分
３３        肩紐
３３ａ      一端
３３ｂ      他端
３３ｈ      ボタン穴
３３ｎ      左肩紐背面部
３３ｔ      部分
５１        連結具
５３、５５  筒部
５７        連結部
５９        糸
１０１        着用者
１０３        頭
１０５ａ      右肩
１０５ｂ      左肩
【図１】
0003234892.tif 000003
【図２】
0003234892.tif 000004
【図３】
0003234892.tif 000005
【図４】
0003234892.tif 000006
【図５】
0003234892.tif 000007